【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
第１レーザー光を射出する第１レーザー光源装置と、
第１蛍光体を含み、第１蛍光を射出する第１蛍光光源装置と、
前記第１レーザー光が入射する第１インテグレーターと、
前記第１蛍光が入射する第２インテグレーターと、
前記第１インテグレーターおよび前記第２インテグレーターの後段に設けられ、前記第１レーザー光及び前記第１蛍光が入射する重畳レンズと、
前記重畳レンズから射出した前記第１レーザー光及び前記第１蛍光が入射し、それぞれ複数のサブ画素からなる複数の画素を含む光変調装置と、
前記複数の画素に対応して設けられた複数のマイクロレンズを含むマイクロレンズアレイと、
前記光変調装置から射出される光を投射する投射光学装置と、を備え、
前記第１インテグレーターは、複数の第１小レンズを有する第１マルチレンズアレイを含み、
前記第２インテグレーターは、複数の第２小レンズを有する第２マルチレンズアレイを含み、
前記第１マルチレンズアレイにおけるレンズ分割数は、前記第２マルチレンズアレイにおけるレンズ分割数よりも多い
プロジェクター。
【請求項２】
前記第１マルチレンズアレイは、第１の光入射側マルチレンズアレイと、前記第１の光入射側マルチレンズアレイに対応するように配置された第１の光射出側マルチレンズアレイとを含み、
前記第２マルチレンズアレイは、第２の光入射側マルチレンズアレイと、前記第２の光入射側マルチレンズアレイに対応するように配置された第２の光射出側マルチレンズアレイとを含む
請求項１に記載のプロジェクター。
【請求項３】
前記第１の光入射側マルチレンズアレイ上に形成される前記第１レーザー光のスポット形状は長手方向および短手方向を有しており、
前記第２の光入射側マルチレンズアレイにおける前記長手方向のレンズ分割数は、前記第２の光入射側マルチレンズアレイにおける前記短手方向のレンズ分割数よりも多い
請求項２に記載のプロジェクター。
【請求項４】
前記第１の光入射側マルチレンズアレイ上に形成される前記第１レーザー光のスポット形状は長手方向および短手方向を有しており、
前記第１の光入射側マルチレンズアレイにおける前記長手方向のレンズ分割数は、前記第１の光入射側マルチレンズアレイにおける前記短手方向のレンズ分割数よりも多い
請求項２に記載のプロジェクター。
【請求項５】
前記第２インテグレーターにおける光射出側と前記重畳レンズとの間に設けられた偏光変換素子をさらに備える
請求項１から４のいずれか一項に記載のプロジェクター。
【請求項６】
第２レーザー光を射出する第２レーザー光源装置と、
第２蛍光体を含み、第２蛍光を射出する第２蛍光光源装置と、
前記第２レーザー光が入射する第３インテグレーターと、
前記第２蛍光が入射する第４インテグレーターと、をさらに備える
請求項１から５のいずれか一項に記載のプロジェクター。
【請求項７】
前記第１レーザー光と、前記第２レーザー光と、前記第１蛍光と、前記第２蛍光とは、前記重畳レンズの異なる位置にそれぞれ入射する
請求項６に記載のプロジェクター。
【請求項８】
前記複数のサブ画素は、第１のサブ画素、第２のサブ画素、第３のサブ画素および第４のサブ画素を含み、
前記第１レーザー光は、前記マイクロレンズを透過して前記第１のサブ画素に入射し、
前記第２レーザー光は、前記マイクロレンズを透過して前記第２のサブ画素に入射し、
前記第１蛍光は、前記マイクロレンズを透過して前記第３のサブ画素に入射し、
前記第２蛍光は、前記マイクロレンズを透過して前記第４のサブ画素に入射する
請求項６または７に記載のプロジェクター。
【請求項９】
前記第１レーザー光は、赤色光であり、
前記第２レーザー光は、青色光であり、
前記第１蛍光及び前記第２蛍光は、緑色光である
請求項６から８のいずれか一項に記載のプロジェクター。
【手続補正２】
【補正対象書類名】明細書
【補正対象項目名】００２７
【補正方法】変更
【補正の内容】
【００２７】
第１光源装置１１１は、レーザー光源１０と、ホモジナイザー１１と、集光レンズ１２と、拡散板１３と、ピックアップレンズ１４とを有する。レーザー光源１０は、例えば、ピーク波長が６３５ｎｍ±２０ｎｍのレーザー光として赤色光（第１のレーザー光）ＲＬを射出する赤色用半導体レーザー素子１０ａと、赤色用半導体レーザー素子１０ａから射出された赤色光ＲＬを平行化するコリメートレンズ１０ｂとを含む。
【手続補正３】
【補正対象書類名】明細書
【補正対象項目名】００２８
【補正方法】変更
【補正の内容】
【００２８】
図５は赤色用半導体レーザーの要部構成を示す図である。図５に示すように、赤色用半導体レーザー素子１０ａは光射出面１０ａ１を有している。光射出面１０ａ１は、赤色用半導体レーザー素子１０ａから射出された赤色光ＲＬの主光線に沿う方向に見て、Ｙ方向に沿う長辺とＺ方向に沿う短辺とを有する略長方形状の平面形状を有している。
【手続補正４】
【補正対象書類名】明細書
【補正対象項目名】００４１
【補正方法】変更
【補正の内容】
【００４１】
青色用半導体レーザー素子４０ａは、赤色用半導体レーザー素子１０ａと同様、略長方形状の光射出面を有している。本実施形態において、第１光源装置１１１と第４光源装置１１４とは、レーザー光源１０における赤色用半導体レーザー素子１０ａとレーザー光源４０における青色用半導体レーザー素子４０ａの向き、すなわち、矩形状の光射出面の長辺が同じ方向を向くように配置されている。そのため、レーザー光源４０から射出された青色光ＢＬにおける主光線に直交する面と平行な断面形状も、図５に示したようにＺ方向に沿う長軸とＹ方向に沿う短軸とを有する楕円状となる。
【手続補正５】
【補正対象書類名】明細書
【補正対象項目名】００４７
【補正方法】変更
【補正の内容】
【００４７】
光源ユニット１１０から射出された赤色光ＲＬは、図３に示すように、レーザー光用インテグレーター６０Ａの第１インテグレーター６１に入射する。第１インテグレーター（
第１のレーザー光用インテグレーター）６１は、複数の第１小レンズを有する第１マルチレンズアレイ６１Ｕを含む。第１マルチレンズアレイ６１Ｕは、光入射側マルチレンズアレイ（第１の光入射側マルチレンズアレイ）６１ａと光射出側マルチレンズアレイ（第１の光射出側マルチレンズアレイ）６１ｂとを含む。光入射側マルチレンズアレイ６１ａは、例えば、複数の小レンズ（第１小レンズ）６１ａ１を平面的に配列して構成される。光入射側マルチレンズアレイ６１ａは、第１光源装置１１１から射出された赤色光ＲＬを各小レンズ６１ａ１によって複数の小光束に分割してそれぞれを集光させる。
【手続補正６】
【補正対象書類名】明細書
【補正対象項目名】００５１
【補正方法】変更
【補正の内容】
【００５１】
光入射側マルチレンズアレイ６１ａの外形は長方形状からなり、赤色光ＲＬの全体を効率良く取り込み可能とされている。光入射側マルチレンズアレイ６１ａの外形は長方形状を有しており、赤色光ＲＬの長軸に平行なＺ方向に沿う長辺と、赤色光ＲＬの短軸に平行なＹ方向に沿う短辺とを有する。
【手続補正７】
【補正対象書類名】明細書
【補正対象項目名】００６０
【補正方法】変更
【補正の内容】
【００６０】
図７に示すように、第１緑色光ＧＬ１は光入射側マルチレンズアレイ６２ａ上に円形状の照明領域（スポット）を形成する。光入射側マルチレンズアレイ６２ａの外形は略正方形状からなり、第１緑色光ＧＬ１の全体を効率良く取り込み可能とされている。